(57)【要約】【課題】  底面側カバーの取り付け・取り外し作業をケーブルラックの配設（連結）作業と独立して行うことができて作業性及び安全性が高く、さらに強固に取り付けられて地震に対して高耐性のケーブルラックのカバー取付構造を提供する。【解決手段】  対向する一対の親桁１間に所定間隔で子桁２を架設してケーブルラックを形成し、前記ケーブルラックの一対の親桁１の一端部間をケーブル挿入側の開口とすると共に他端部間を底面側の開口とし、前記一対の親桁１の底面側の開口の互いに対向する端縁間に底面側カバー３を配置し、上記ケーブルラックに取り付けた底面側カバー３の取付用部材にて底面側カバー３を取り付けた。【選択図】        図１
2005102459.tif 000002
【特許請求の範囲】
【請求項１】
対向する一対の親桁間に所定間隔で子桁を架設してケーブルラックを形成し、前記ケーブルラックの一対の親桁の一端部間をケーブル挿入側の開口とすると共に他端部間を底面側の開口とし、前記一対の親桁の底面側の開口の互いに対向する端縁間に底面側カバーを配置し、上記ケーブルラックに取り付けた底面側カバーの取付用部材にて底面側カバーを取り付けて成ることを特徴とするケーブルラックのカバー取付構造。
【請求項２】
底面側カバーの端部をケーブルラック内方側に折り返して成ることを特徴とする請求項１記載のケーブルラックのカバー取付構造。
【請求項３】
底面側カバーをケーブルラックに取り付けた時に該底面側カバーの外面が親桁の外面よりも外方に突出し、前記取り付けた底面側カバーの外面を底面側カバー支持部材で押圧支持して成ることを特徴とする請求項１又は２記載のケーブルラックのカバー取付構造。
【請求項４】
ケーブルラックの一対の親桁のケーブル挿入側の開口にケーブル挿入側カバーを配置するものであって、ケーブル挿入側カバーを取り付けるためのケーブル挿入側カバー取付部材と底面側カバーの取付用部材としての底面側カバー支持部材とをケーブル挿入側カバー連結部材にて連結可能として成ることを特徴とする請求項１乃至３のいずれかに記載のケーブルラックのカバー取付構造。
【請求項５】
底面側カバーの取付用部材としての底面側カバー固定部材を子桁の前記底面側カバーが取り付けられる面と反対側の面に固定して成ることを特徴とする請求項１又は２のいずれかに記載のケーブルラックのカバー取付構造。
【請求項６】
ケーブル挿入側カバーの取付用部材としてのケーブル挿入側カバー固定部材を底面側カバー固定部材が取り付けられる子桁とは別の子桁の底面側カバーが取り付けられる面と反対側の面に固定し、底面側カバー固定部材及びケーブル挿入側カバー固定部材にて底面側カバーとケーブル挿入側カバーとをそれぞれ取り付けて成ることを特徴とする請求項５記載のケーブルラックのカバー取付構造。
【発明の詳細な説明】
【技術分野】
【０００１】
本発明は、ケーブルを配線するのに用いられるケーブルラックのカバー取付構造に関するものである。
【背景技術】
【０００２】
従来より、ケーブルを配線するのにケーブルラックが用いられる。ケーブルラックは、図１３に示すように、対向する一対の親桁１間に所定間隔で子桁２を架設して形成されるもので、例えば天井面に取り付けられる吊具等にて天井下に配設される。そして、ケーブルラックの子桁２上にケーブルを載置して配線が施される。（例えば特許文献１参照）
このようなケーブルラックにおいては、例えば人体が触れ得る位置に配設される場合や高圧ケーブルが配線される場合等にケーブルを保護して安全確保するため、また、親桁１間及び子桁２間の隙間からケーブルや親桁１の内面や子桁２等が見えて見苦しくて美観を向上させたい場合には、ケーブルラックに底面側カバー３’を設けるものである。底面側カバー３’は、断面形状が上方に開口する略コ字状をして長手方向の長さが親桁１とほぼ同じもので、図１３に示すように長手方向全長に亘って両親桁１の下端部の外面に下方より被嵌するように配置し、親桁１に取り付けたハンガー部材４’によって支持固定して、親桁１間の隙間を覆い隠すものである。
【０００３】
このようなケーブルラックにおいては、複数のケーブルラックを長手方向に連結して天井下に配設するのであるが、これは図１４に示すように、隣接するケーブルラックの互いに突き合わせた親桁１の端部外面に亘ってジョイント部材Ｊを固定することで連結が行われていた。
【０００４】
しかしながら、この従来のケーブルラックの底面側カバー３’では底面側カバー３’が親桁１の端部の外面に沿うように位置するため、底面側カバー３’を先にケーブルラックに取り付けてしまうとジョイント部材Ｊを親桁１に取り付けることができず、先にジョイント部材Ｊによるケーブルラックの連結作業を行った後で底面側カバー３’の取り付け作業を行う必要があり、作業順序が制限されてしまって作業性が悪いという問題があった。
【０００５】
そこで、親桁の下端部に溝を設けてこの溝に底板（底面側カバー）を挿入したり（例えば特許文献２参照）、一対の親桁の下端部の上面間に底板（底面側カバー）を載置して架設したりして（例えば特許文献３参照）、上記ジョイント部材のような部材と底面側カバーとの干渉を避けることが考えられるが、この場合には長尺の底面側カバーを親桁の長手方向の端部から長手方向へ挿入する必要があって、底面側カバーを親桁に取り付ける作業自体が非常に作業性の悪いものとなり、作業性の悪さを改善するには至らなかった。
【０００６】
また、子桁上に底板を配置するものにあっては（例えば特許文献４参照）、ケーブルを前記底板に配置することとなって、例えばセパレータの取付け、ケーブルの結束固定等で子桁を利用することができなくなる、といった問題があるものであった。
【０００７】
また、図１５に示すように、建物のシャフト内に縦（垂直）に施工されるような従来例においては、ケーブルラックの親桁１’を外側から被嵌するように上記従来例の底面側カバーに相当する背面カバー３’とその対向側の開口に正面カバー７’を取り付け、これらをジョイント部材Ｊ’にて固定していた。このものにあっては、背面カバー３’の取り付けについては上記従来例と同じように取り付ける場合には同様の問題点があった。また、背面カバー３’，正面カバー７’にそれぞれ取り付け片をボルト・ナットで直に取り付け、この取り付け片を別のボルト・ナットで連結するものにあっては、該別のボルト・ナットが長尺になってしまうため、この別のボルト・ナットで強く締付けると取り付け片ひいては背面カバー３’，正面カバー７’が変形してしまう惧れがあるためあまり強く締付けることができず、この場合、地震に耐え得る締結力が得られないものであった。
【０００８】
また、図１５に示すような従来例にあっては、シャフト内はスペースが限られ、殆どの場合にケーブルラックと壁とが近接配置されるため、背面カバー３’の取り付け空間が無く且つ取り付け作業が高所作業となるため作業性が悪いとともに危険を伴うものであった。さらに、シャフト内に縦方向に施工するケーブル及びケーブルラックは、その建物の幹線となる場合が多く、地震に対する耐性が大いに要求されるものであった。  
【特許文献１】登録実用新案第３０１４３０４号公報
【特許文献２】実開平２−１０４７１４号公報
【特許文献３】特開２００２−１９９５４０号公報
【特許文献４】特開平１０−６６２１９号公報
【発明の開示】
【発明が解決しようとする課題】
【０００９】
本発明は上記の従来の問題点に鑑みて発明したものであって、その目的とするところは、底面側カバーの取り付け・取り外し作業をケーブルラックの配設（連結）作業と独立して行うことができて作業性及び安全性が高く、さらに強固に取り付けられて地震に対して高耐性のケーブルラックのカバー取付構造を提供することを課題とするものである。
【課題を解決するための手段】
【００１０】
上記課題を解決するために請求項１に係る発明にあっては、対向する一対の親桁１間に所定間隔で子桁２を架設してケーブルラックを形成し、前記ケーブルラックの一対の親桁１の一端部間をケーブル挿入側の開口とすると共に他端部間を底面側の開口とし、前記一対の親桁１の底面側の開口の互いに対向する端縁間に底面側カバー３を配置し、上記ケーブルラックに取り付けた底面側カバー３の取付用部材にて底面側カバー３を取り付けて成ることを特徴とするものである。このような構成とすることで、ケーブルラックの連結部分において親桁１の外面に取り付ける連結部材と底面側カバー３との干渉を避けることができて、底面側カバー３の取り付け作業とケーブルラックの連結作業等の配設作業とを独立して行うことが可能となって、作業性が向上すると共に前記高所作業工程が少なくなって安全性が向上するものである。
【００１１】
また、請求項２の発明は、請求項１の発明において、底面側カバー３の端部をケーブルラック内方側に折り返して成ることを特徴とするものである。このような構成とすることで、子桁２の外側面と底面側カバー３の内側面との間に隙間が形成可能となって、ケーブルＣを固定するために子桁２に巻き付ける紐部材Ｈと底面側カバー３との干渉が避けられる（すなわち、子桁２の外側面と底面側カバー３の内側面との間に形成される隙間に紐部材Ｈを通すことができて、底面側カバー３を取り付けてもケーブルＣを子桁２に括り付けた状態とすることができる）。また、折り返して二重にしたことで強度の向上も図られるものである。
【００１２】
また、請求項３の発明は、請求項１又は２の発明において、底面側カバー３をケーブルラックに取り付けた時に該底面側カバー３の外面が親桁１の外面よりも外方に突出し、前記取り付けた底面側カバー３の外面を底面側カバー支持部材４で押圧支持して成ることを特徴とするものである。このような構成とすることで、底面側カバー支持部材４で底面側カバー３をケーブルラックに確実に押圧して挟持固定することが可能となる。
【００１３】
また、請求項４の発明は、請求項１乃至３の発明において、ケーブルラックの一対の親桁１のケーブル挿入側の開口にケーブル挿入側カバー７を配置するものであって、ケーブル挿入側カバー７を取り付けるためのケーブル挿入側カバー取付部材８と底面側カバー３の取付用部材としての底面側カバー支持部材４とをケーブル挿入側カバー連結部材９にて連結可能として成ることを特徴とするものである。このような構成とすることで、底面側カバー３を支持するための底面側カバー支持部材４を用いてケーブル挿入側カバー７を挟持して固定することが可能となり、部品共用による部品点数削減及び作業工程を低減することができる。
【００１４】
また、請求項５の発明は、請求項１又は２の発明において、底面側カバー３の取付用部材としての底面側カバー固定部材６を子桁２の前記底面側カバー３が取り付けられる面と反対側の面に固定して成ることを特徴とするものである。このような構成にすることで、底面側カバー固定部材６をケーブルラックの内側に設けることができて、見栄えが良くなり、さらに、底面側カバー固定部材６をケーブルラックのケーブル挿入側の開口から挿入してケーブルラックに固定することができて、ケーブルラックの配設後にでも任意に底面側カバー固定部材６の取付作業等が行えて作業性が向上する。
【００１５】
また、請求項６の発明は、請求項５の発明において、ケーブル挿入側カバー７の取付用部材としてのケーブル挿入側カバー固定部材９を底面側カバー固定部材６が取り付けられる子桁２とは別の子桁２の底面側カバー３が取り付けられる面と反対側の面に固定し、底面側カバー固定部材６及びケーブル挿入側カバー固定部材９にて底面側カバー３とケーブル挿入側カバー７とをそれぞれ取り付けて成ることを特徴とするものである。このような構成にすることで、ケーブル挿入側カバー固定部材９をケーブルラックの内側に設けることができて、見栄えが良くなる。
【発明の効果】
【００１６】
本発明にあっては、ケーブルラックの連結部分において親桁の外面に取り付ける連結部材と親桁の下端部に設ける底面側カバーとの干渉を避けることができて、底面側カバーの取り付け作業とケーブルラックの連結等を含む配置作業とをその順序を任意に行うことが可能となって、作業性が向上すると共に前記高所での作業工程が少なくなって安全性が向上するものである。
【発明を実施するための最良の形態】
【００１７】
以下、本発明を添付図面に示す実施形態に基づいて説明する。ケーブルラックは、図１，図３に示すように、一対の親桁１と、前記親桁１間に架設される複数の子桁２とでラック本体が構成され、例えば天井に沿って略水平に配設したり、あるいは壁に沿って略上下方向に配設したりするものであるが、本実施形態では略水平に配設するものについて説明する。
【００１８】
親桁１は、ケーブルラックの両側端部、即ち幅（短手）方向の両端部にそれぞれ対向するように略平行に配置される通常金属製のもので、本体側片（本実施形態のように略水平に配設するものにおいては側縦片となるため、以下、便宜上側縦片１１として説明する）と、該側縦片１１の一端部（本実施形態では下端部）から対をなす他方の親桁１に向けて突出する突出片（以下、便宜上下横片１２として説明する）とを有して下端部が断面略Ｌ字状をなすものであり、更に本実施形態では、側縦片１１の他端部（本実施形態では上端部）からは前記下横片１２と同様に対をなす他方の親桁１に向けて突出片（以下、便宜上上横片１３として説明する）を突設して親桁１全体の断面形状が略コ字状となるように形成してあり、両親桁１の上横片１３及び下横片１２同士がそれぞれ対向するように配置される。そして、この一対の親桁１間に複数の子桁２が架設される。
【００１９】
子桁２は、板状部材を折曲したりして断面ロ字状やコ字状、リップ付きコ字状等に形成した通常金属製のもので、その形状は特に限定されないが、本実施形態では上方に開口するリップ付きコ字状に形成してある。子桁２は、該子桁２の長手方向（即ちケーブルラックの幅方向）両端部をそれぞれ上記親桁１の側縦片１１に溶接等にて固定するもので、本実施形態では子桁２の下面を親桁１の下横片１２の上面に当接して載置した状態で固定しているが、子桁２の下面を下横片１２の上面から所定長さ離した状態で固定してもよい。この子桁２は、親桁１の長手方向に所定間隔をあけて複数架設される。
【００２０】
ここで、ケーブルラックの「ケーブル挿入側」及び「底面側」を定義する。本実施形態では子桁２を親桁１の下横片１２に当接又は近接して設けてあり、後述するがこの子桁２の下横片１２に当接又は近接している側と反対側の面（ここでは上面）の側からケーブルがケーブルラックに挿入されてこの面にケーブルが固定されるため、この面側を「ケーブル挿入側」とし、子桁２の下横片１２に当接又は近接している側の面（ここでは下面）の側を「底面側」というものとする。従って、一対の親桁１の上横片１３の端縁間の開口がケーブル挿入側の開口となり、下横片１２の端縁間の開口が底面側の開口となる。
【００２１】
このようにして主体が構成されるケーブルラックは、現場において天井面に取り付けた吊具等にて天井下に配設され、所定間隔ごとに設けてある子桁２上にケーブルＣを載置して配線を施すのであるが、上述したようにケーブルを保護して安全確保する場合や美観を向上させる場合には、ケーブルラックに底面側カバー３を設けるものである。
【００２２】
底面側カバー３は、図２に示すように底面側カバー支持部材４を介してケーブルラックに設けられる板状をしたもので、ケーブルラックを略水平に配設する本実施形態では図１に示すように一対の親桁１の下横片１２の端縁間にほぼ隙間なく配置される下カバー３ａとなっている（以下、本実施形態では底面側カバー３を下カバー３ａとして説明する）。これにより下カバー３ａのケーブルラックへの取り付け位置も自動的に位置決めされることとなり、作業性が向上する。さらに本実施形態では、図１（ｂ）に示すように、下カバー３ａを親桁１の下横片１２の厚さｔ１とほぼ同じ厚さｔ２の板で形成し、その幅方向（ケーブルラックの幅方向）の両端部において板をケーブルラック内方側（即ち上側）に折り返すことで、厚さｔ３が中間部３２の厚さｔ２よりも厚く（ほぼｔ２の二倍）中間部３２の上面よりも上方に突出した親桁１の下横片１２への突き合わせ端部３１としてある。またなお、本実施形態では下カバー３ａの厚さｔ２を親桁１の下横片１２の厚さｔ１とほぼ同じに形成してあるが、後述するように下カバー３ａの折り返した突き合わせ端部３１の上面がケーブルラックの子桁２の下面に当接した時に該下カバー３ａの外面（即ち下面）が親桁１の下横片１２の外面（即ち下面）よりも外方（即ち下方）に突出すれば厚みｔ２は厚さｔ１とほぼ同じに限定されず、適宜設定変更可能である。
【００２３】
上記のように親桁１及び子桁２からなるラック本体に下カバー３ａを取り付けて上方に開口する断面略コ字状をしたケーブルラックの主体が構成される。
【００２４】
下カバー３ａは、下カバー３ａ即ち底面側カバー３の取付用部材としての底面側カバー支持部材４によってケーブルラックに設けられる。底面側カバー支持部材４は、引掛け部材４０と支持部材５０とからなる。引掛け部材４０は、図３に示すように、吊下げ縦片４１と、その上端部及び下端部にそれぞれ設けられる引掛け上片４２及び取付け下片４３とからなるもので、板状部材を折曲したりして形成される。吊下げ縦片４１は、上下長さが親桁１の側縦片１１の上下長さよりも若干長い板状のもので、開口側から親桁１に取り付けられた際に前記側縦片１１の外面に沿うように配置される（図１参照）。この吊下げ縦片４１の上端部からは、ケーブルラックの幅方向内方に向けて引掛け上片４２が設けてある。引掛け上片４２は、その左右方向長さ（即ちケーブルラックの幅方向長さ）が親桁１の上横片１３の長さとほぼ同じ横片を有すると共に該横片の内先端から下方に爪片を突設した断面略逆Ｌ字状をしたもので、この引掛け上片４２と前記吊下げ縦片４１とで形成される下方に開口した凹所４４を親桁１の上横片１３に被嵌して引掛ける。そして、吊下げ縦片４１の下端部からはケーブルラックの幅方向外方に向けて取付け下片４３が突設してあり、この取付け下片４３に支持部材５０が取り付けられる。
【００２５】
支持部材５０は、板状部材を折曲したりして断面ロ字状やコ字状、リップ付きコ字状等に形成した通常金属製のもので、本実施形態では上方に開口するリップ付きコ字状に形成してあるが、特に限定されない。支持部材５０は、その長手方向長さがケーブルラックの幅方向長さよりも長く形成してあり、その両端部付近が上記引掛け部材４０の取付け下片４３にそれぞれ取り付けられるもので、以下にこの支持部材５０及び下カバー３ａの取り付けについて説明する。
【００２６】
まず、下カバー３ａを両親桁１の下横片１２の端縁間に配置すると共に、底面側カバー支持部材４の引掛け部材４０をそれぞれ両方の親桁１の互いに対向する位置に引掛ける。この時、下カバー３ａの折り返した突き合わせ端部３１の上面がケーブルラックの子桁２の下面に当接するが、上述したように子桁２はその下面が親桁１の下横片１２の上面に当接した状態で架設されており、また、下カバー３ａの折り返した突き合わせ端部３１の厚ｔ３さは親桁１の下横片１２の厚さｔ１よりも厚いため、下カバー３ａの下面が親桁１の下横片１２の下面よりも下方に突出した状態となる。そして、前記のように下横片１２よりも下方に突出した下カバー３ａの下面に上記支持部材５０を当接し、下カバー３ａを支持した状態で支持部材５０を引掛け部材４０に固定する。引掛け部材４０への固定は、図３に示すように引掛け部材４０の取付け下片４３に形成した固着具挿通孔４３ａに上方よりねじからなる固着具５５を挿通し、支持部材５０の固着孔５４に前記固着具５５を螺着するものである。なお本実施形態では、支持部材５０の上方開口５１の幅（即ちリップ部５２の端縁間距離）よりも幅広の板部材５３を支持部材５０のリップ部５２の下面に配置し、この板部材５３に形成した固着孔５４に固着具５５を螺着することで、子桁２の下面及び支持部材５０の上面で下カバー３ａを確実に押圧挟持して固定するものである。
【００２７】
また、下カバー３ａを取り付けるに先立ってケーブルラックにケーブルＣを配設するのであるが、これは、図１に示すように、子桁２の上面にケーブルＣを載置すると共にケーブルＣの子桁２への載置部分を紐部材Ｈで子桁２に括りつけて固定することが多いがこの時、子桁２に巻き付けられた前記紐部材Ｈは子桁２の下面よりも下方に突出することとなり、一方、下カバー３ａは上述したようにその上面が子桁２の下面に当接するのであるが、下カバー３ａの子桁２の下面へ当接する部分は上述したように両端部の折り返した突き合わせ端部３１であり、下カバー３ａの中間部３２の上面は突き合わせ端部３１の上面と比べて低くなっているため、紐部材Ｈが巻き付けられる部分（即ち中間部３２部分）においては子桁２の下面と下カバー３ａの上面との間に隙間が形成されて、下カバー３ａと紐部材Ｈの干渉が避けられるものである。なお、下カバー３ａの板厚ｔ２自体を厚くすることで、端部を特に折り返したりしなくても親桁１の下面よりも下方に突出させることが可能となるが、この場合には下カバー３ａの重量が重くなって取り扱い性が悪いという問題があり、この点においても、下カバー３ａの端部を折り返したことで、軽量化による取り扱い性の向上を図ることができて材料コストの低減が図られるものであり、また、折り返して二重にしたことで強度の向上も図られる。
【００２８】
ところで、このようなケーブルラックは、長手方向に連結するにあたって、長手方向端部を突き合わせてその両端部間に亘って外面に連結部材（図１４の従来例に示すジョイント部材Ｊのような部材）を固定するのであるが、本発明におけるように下カバー３ａを対をなす親桁１の下端部の端縁間に設けたことで、ケーブルラックの連結部分において前記連結部材と下カバー３ａとの干渉がなくなり、下カバー３ａの取り付け作業とケーブルラックの連結等を含む配置作業とを独立して（即ち順序を任意に）行うことが可能となって作業性が向上し、ケーブルラックの配置替えを行う場合でも、下カバー３ａを取り外して配置替えを行った後に再び下カバー３ａを取り付けたりする必要がなく、下カバー３ａを付けたままケーブルラックを配置替えすればよく、作業性が向上すると共に前記高所での作業工程が少なくなって安全性も向上する。また、下カバー３ａの端部を折り返したことで、エッジ部分をなくしてＲを形成することができて、作業者の手を傷つけたりするのを防止することができる。
【００２９】
次に、本実施形態の他の実施例について図４，図５に基づいて説明する。なお、上実施例と同じ部分については図中において同符号を付して説明を省略し、主に異なる部分について説明する。本実施形態のものは上実施形態に加えて、ケーブル挿入側カバー取付部材８０及びケーブル挿入側カバー連結部材８３を用いてケーブル挿入側カバー７を取り付けるものである。
【００３０】
ケーブル挿入側カバー７は、本体横片７１と側縦片７２とからなる下方に開口する断面略コ字状をしてその長手方向の長さが親桁１の長さとほぼ同等であり、一対の親桁１のケーブル挿入側の開口の外側に側縦片７２を被嵌して親桁１間の隙間を閉塞するもので、以下、本実施例ではこれを上カバー７ａとして説明する。この上カバー７ａ上にはケーブル挿入側カバー取付部材８０が載置される。
【００３１】
ケーブル挿入側カバー取付部材８０は、長手方向の両端部がそれぞれ対をなす親桁１の対向方向、即ちケーブルラックの幅方向の外側に突出するもので、本実施例では上述した底面側カバー支持部材４の支持部材５０と同様に形成してあり、該支持部材５０と同様にリップ部５２側の面をケーブル挿入側カバー取付部材８０への当接面としてある。また支持部材５０は、前記ケーブル挿入側カバー取付部材８０の長手方向長さと同等になるように両端部を延設してあり、この延設した部分を後述するケーブル挿入側カバー連結部材８３が取り付けられる取付部としてある。この取付部には、次に述べるケーブル挿入側カバー連結部材８３の係止部８４が係止される係止孔５６と、ケーブル挿入側カバー連結部材８３の本体軸部が挿通される切欠５７が形成してある。
【００３２】
ケーブル挿入側カバー連結部材８３は、下側の先端部が上向きに屈曲された略Ｌ字やＪ字状等をしたもので、その上向きとなった下側の先端部は上記支持部材５０の係止孔５６に係止される係止部８４となっている。そして、ケーブル挿入側カバー連結部材８３の本体軸部の上端部には雄ねじ部８５が螺設してあり、ケーブル挿入側カバー取付部材８０に締結する固着具８２が螺着される。また、ケーブル挿入側カバー取付部材８０には、その両端部にそれぞれ挿通孔８１が貫通形成してあり、ケーブル挿入側カバー連結部材８３の上端部が挿通される。
【００３３】
上カバー７ａの取り付けについて説明すると、まず、上カバー７ａを両親桁１の上端部に被嵌し、ケーブル挿入側カバー連結部材８３の係止部８４を支持部材５０の係止孔５６に下方より挿入係止すると共に、ケーブル挿入側カバー連結部材８３の本体軸部を支持部材５０の切欠５７に挿通する。そして、ケーブル挿入側カバー取付部材８０の挿通孔８１を前記ケーブル挿入側カバー連結部材８３の上端部に被嵌し、固着具８２をケーブル挿入側カバー取付部材８０の上側より締結することにより、上カバー７ａの取り付けが完了する。
【００３４】
このようにすることで、下カバー３ａを支持するための底面側カバー支持部材４を兼用して上カバー７ａを挟持することが可能となり、部品共用による部品点数削減及び作業工程を低減することができる。
【００３５】
次に、他の実施形態について図６乃至図１２に基づいて説明する。本実施形態のものは、上実施形態で略水平に配設されたケーブルラックと同様のケーブルラックを略上下方向に配設するものである。
【００３６】
親桁１及び子桁２、底面側カバー３（上実施形態の下カバー３ａ）、ケーブル挿入側カバー７（上実施形態の上カバー７ａ）の構成については上実施形態と同様であるため図中にて同符号を付して説明を省略するが、底面側カバー３及びケーブル挿入側カバー７がそれぞれ背面カバー３ｂ及び正面カバー７ｂとなっている。そして、このように略上下方向に配設したケーブルラックにおいても上実施形態のように背面カバー３ｂ、正面カバー７ｂをそれぞれ底面側カバー支持部材４、ケーブル挿入側カバー取付部材８０及びケーブル挿入側カバー連結部材を用いてケーブルラックに取り付けてもよいのであるが、本実施形態では上実施形態とは別の部材を用いて取り付けるもので、以下に説明する。
【００３７】
まず、背面カバー３ｂの取り付けについて図６乃至図８に基づいて説明する。本実施形態では背面カバー３ｂは、底面側カバーの取付用部材としての底面側カバー固定部材６を用いてケーブルラックに取り付ける。底面側カバー固定部材６は、図６に示すように、本体片６１と、本体片６１から連設される連設片６２及び位置決め片６４と、前記連設片６２から連設される固定片６３とからなる。本体片６１は、子桁２のケーブル挿入側の面に当接する板状のものである。すなわち、ケーブルラックのケーブル挿入側の開口からこの底面側カバー固定部材６を挿入して本体片６１を前記子桁２のケーブル挿入側の面に当接する。子桁２は、本実施形態ではリップ部２１を有する略コ字状に形成してあって、このリップ部２１の端縁間に開口部２０が形成されるもので、リップ部２１を設けていない側の面（底面側の面）を親桁１の下横片１２の内側面に当接した状態で溶接等にて固定され、このリップ部２１を設けていない側の面（底面側の面）に背面カバー３ｂが当接するように設けられる。そして、本体片６１は子桁２のリップ部２１を設けた面（ケーブル挿入側の面）に当接した状態で取り付けられるようにその長さはリップ部２１の開口部２０を挟んだ両端部の長さとほぼ同じか若干長く形成してある。この本体片６１の両端部からはそれぞれ連設片６２と位置決め片６４が連設される。連設片６２と位置決め片６４は、板状をした本体片６１から略直角に連設され、子桁２の両側面に沿ってそれぞれ近接又は当接するものである。そして、連設片６２の先端からは固定片６３が連設される。固定片６３は、子桁２の側面に沿う連設片６２から子桁２と反対側に突出するように形成され、本体片６１を子桁２のリップ部２１を設けた面に当接した状態で固定片６３の裏面と子桁２のリップ部２１を設けた面と反対側の面とが略面一となるように形成される。この固定片６３には後述する固着具６９が挿通される挿通孔６８が形成してある。そして、本体片６１の連設片６２を連設したのと反対側の端部からは位置決め片６４が突設してあり、本体片６１を子桁２に当接した時に子桁２の両側面にそれぞれ連設片６２と位置決め片６４とが当接して本体片６１の位置決めがなされる。
【００３８】
また、本体片６１には後述する固着具６６が挿通される挿通孔６５が形成してある。この固着具６６は、子桁２の開口部２０内に挿入される板部材６７に形成した固着孔６７ａに螺着される。板部材６７は、子桁２のリップ部２１の開口部２０の幅よりも長い長さに形成され、開口部２０の両側のリップ部２１に当接した状態で底面側カバー固定部材６の本体片６１の挿通孔６５を挿通されたねじからなる固着具６６が螺着され、これによって底面側カバー固定部材６が子桁２に固定される。そして、背面カバー３ｂを子桁２の外側面（即ちリップ部２１を形成した面と反対側の面）に当接した状態で、ねじからなる固着具６９を固定片６３の挿通孔６８に挿通して背面カバー３ｂの螺着孔３０（図７参照）に螺着される。なおこの螺着孔３０は、子桁２に固定した底面側カバー固定部材６の挿通孔６８に対応する部分（少なくともケーブルラックの長手方向の両端部において最も外側又はその一つ内側の子桁２に固定した底面側カバー固定部材６の挿通孔６８に対応する部分）に形成してある。これにより、背面カバー３ｂが子桁２に固定した底面側カバー固定部材６に固定されてケーブルラックに固定されることとなる。これにより、底面側カバー固定部材６をケーブルラックの内側に設けることができて、見栄えが良くなる。
【００３９】
次に、正面カバー７ｂの取り付けについて図９乃至図１１に基づいて説明する。本実施形態では正面カバー７ｂはケーブル挿入側カバー固定部材９を用いてケーブルラックに取り付ける。ケーブル挿入側カバー固定部材９は、図９に示すように、本体片９１と、本体片９１から連設される連設片９２と、連設片９２から連設される引掛片９３、固定片９４とからなる。本体片９１は、子桁２の正面カバー７ｂに当接する面と反対側の面に当接する板状のものである。すなわち、ケーブル挿入側の開口からこのケーブル挿入側カバー固定部材９を挿入して本体片９１を前記子桁２のケーブル挿入側の面に当接する。本体片９１は子桁２のリップ部２１を設けた面に当接した状態で取り付けられるようにその長さはリップ部２１の開口部２０を挟んだ両端部の長さとほぼ同じか若干長く形成してある。この本体片９１の一端部からは連設片９２が連設される。連設片９２は、子桁２のケーブル挿入側の面から親桁１の内側面に沿って配設されるもので、その先端には親桁１の端部に当接される引掛片９３が略直角に連設される。引掛片９３の先端からは略直角に固定片９４が連設される。固定片９４は、親桁１の外面側に親桁１に略平行に配設され、その中央部に後述する固着具９９が挿通される挿通孔９８が形成してある。また、本体片９１には後述する固着具９６が挿通される挿通孔９５が形成してある。この固着具９６はねじからなり、子桁２の開口部２０内に挿入される板部材９７に形成した固着孔９７ａに螺着される。板部材９７は、子桁２のリップ部２１の開口部２０の幅よりも長い長さに形成され、開口部２０の両側のリップ部２１に当接した状態でケーブル挿入側カバー固定部材９の本体片９１の挿通孔９５を挿通された固着具９６が螺着され、これによってケーブル挿入側カバー固定部材９が子桁２に固定される。そして、正面カバー７ｂをケーブルラックのケーブル挿入側の開口に被嵌した状態で、ねじからなる固着具９９を固定片９４の挿通孔９８に挿通して正面カバー７ｂの螺着孔７３に螺着される。なおこの螺着孔７３は、子桁２に固定したケーブル挿入側カバー固定部材９の挿通孔９８に対応する部分（少なくともケーブルラックの長手方向の両端部において最も外側又はその一つ内側の子桁２に固定したケーブル挿入側カバー固定部材９の挿通孔９８に対応する部分）に形成してある。これにより、正面カバー７ｂが子桁２に固定したケーブル挿入側カバー固定部材９に固定されてケーブルラックに固定されることとなる。
【００４０】
上述した底面側カバー固定部材６による背面カバー３ｂの固定とケーブル挿入側カバー固定部材９による正面カバー７ｂの固定とは、図１２に示すように同時に行うことができる。すなわち、底面側カバー固定部材６とケーブル挿入側カバー固定部材９とはいずれも子桁２のケーブル挿入側の面に取り付けるのであるが、底面側カバー固定部材６とケーブル挿入側カバー固定部材９とをそれぞれ異なる子桁２に取り付けることで、同時に背面カバー３ｂと正面カバー７ｂをケーブルラックに固定することが可能となる。
【００４１】
また、このような底面側カバー固定部材６、ケーブル挿入側カバー固定部材９でそれぞれ背面カバー３ｂ、正面カバー７ｂをケーブルラックに固定することで、図１５に示す従来のカバー固定部材Ｊ’のように強固に締付けると背面カバー３ｂや正面カバー７ｂが変形したりする、といったことがないものである。また、底面側カバー固定部材６、ケーブル挿入側カバー固定部材９をケーブルラックの内側に設けることができて、見栄えが良くなる。さらに、底面側カバー固定部材６をケーブルラックのケーブル挿入側の開口から挿入してケーブルラックに固定することができて、ケーブルラックの配設後にでも任意に底面側カバー固定部材６の取付作業等が行えて作業性が向上する。
【００４２】
また、背面カバー３ｂを親桁１の幅内に収容することができ、ケーブルラックが壁に近接配置されたような場合でも容易に施工できるようになるとともに、安全に高所作業が行えるようになる。
【００４３】
また、背面カバー３ｂ及び正面カバー７ｂを固定するためのボルト６９，９９も短くてすむとともに、これらのボルト６９，９９は背面カバー３ｂ及び正面カバー７ｂの荷重のみを受けることとなって地震に対する安全性が高まる。
【００４４】
また、背面カバー３ｂと正面カバー７ｂの取り付けを別々にしたので、地震に対する安全性が高まる。
【図面の簡単な説明】
【００４５】
【図１】本発明の一実施形態を示し、（ａ）は斜視図であり、（ｂ）は（ａ）のＡ部拡大斜視図である。
【図２】同上の実施形態の底面側カバー（下カバー）の斜視図である。
【図３】同上の実施形態の分解斜視図である。
【図４】同上の他の実施例を示し、（ａ）は斜視図であり、（ｂ）は（ａ）のＢ部拡大斜視図である。
【図５】同上の分解斜視図である。
【図６】他の実施形態の底面側カバー固定部材の分解斜視図である。
【図７】同上の実施形態において底面側カバー（背面カバー）の取り付けを説明する分解斜視図である。
【図８】同上の実施形態において底面側カバー（背面カバー）を取り付けた状態を説明する斜視図である。
【図９】同上の実施形態のケーブル挿入側カバー固定部材の分解斜視図である。
【図１０】同上の実施形態においてケーブル挿入側カバー（正面カバー）の取り付けを説明する分解斜視図である。
【図１１】同上の実施形態においてケーブル挿入側カバー（正面カバー）を取り付けた状態を説明する斜視図である。
【図１２】同上の実施形態において底面側カバー（背面カバー）及びケーブル挿入側カバー（正面カバー）を取り付けた状態を説明する斜視図である。
【図１３】従来例の要部斜視図である。
【図１４】従来例のケーブルラックの連結部の斜視図である。
【図１５】他の従来例を示し、（ａ）は斜視図であり、（ｂ）は断面図である。
【符号の説明】
【００４６】
１  親桁
２  子桁
３  底面側カバー
４  底面側カバー支持部材
【図１】
2005102459.tif 000003
【図２】
2005102459.tif 000004
【図３】
2005102459.tif 000005
【図４】
2005102459.tif 000006
【図５】
2005102459.tif 000007
【図６】
2005102459.tif 000008
【図７】
2005102459.tif 000009
【図８】
2005102459.tif 000010
【図９】
2005102459.tif 000011
【図１０】
2005102459.tif 000012
【図１１】
2005102459.tif 000013
【図１２】
2005102459.tif 000014
【図１３】
2005102459.tif 000015
【図１４】
2005102459.tif 000016
【図１５】
2005102459.tif 000017